(57)【要約】【課題】連続洗濯設備に設置される遠心脱水機を改良し、回転円筒１１の中で洗濯物が均一に分散され、自動的に剥がされ、かつ自動的に排出されるようにする。【解決手段】回転円筒１１の中に、これと同心にスクリューコンベヤ１２を配置し、上記回転円筒１１とスクリューコンベヤ１２とを相互に独立に回転駆動し得るように構成する。スクリューコンベヤ１２を正，逆転させて洗濯物を矢印ｃ，矢印ｄのように往復送りすると、回転円筒内の洗濯物が均一に分散され、回転円筒の内周面に張り付いた洗濯物が剥がされる。スクリューコンベヤ１２を正転させると洗濯物が矢印ｂのように排出される。【選択図】図１
2008154837.tif 000002
【特許請求の範囲】
【請求項１】
高速で回転して遠心脱水作用を果たす円筒の中にスクリューコンベヤが設けられていることを特徴とする遠心脱水機。
【請求項２】
前記の高速回転する円筒が、フレームに対して回転可能に支持されるとともに、
前記のスクリューコンベヤが上記の円筒に対して同心に、かつ相対的回転可能に支持されていることを特徴とする遠心脱水機。
【請求項３】
高速回転する円筒の両端それぞれに固着された回転軸の少なくとも片方が筒状をなし、
前記スクリューコンベヤの回転軸の少なくとも片方が、上記筒状の軸の中を貫通して突出しており、
前記回転する円筒の回転軸、および、前記スクリューコンベヤの回転軸が、それぞれ互いに独立した回転駆動手段を備えていることを特徴とする遠心脱水機。
【請求項４】
洗濯を終えた洗濯物を脱水する方法において、
遠心力によって脱水作用を発揮する回転円筒の中に、予めスクリューコンベヤを設けておき、
遠心脱水工程に先立って、前記回転円筒内に投入された洗濯物が約１Ｇの遠心力を受ける回転速度で、該回転円筒を回転させながら、
前記スクリューコンベヤを、回転円筒に対して相対的に正，逆転させ、洗濯物を軸心方向に送ったり戻したりすることにより、該洗濯物を回転円筒内で均一に配分することを特徴とする遠心脱水方法。
【請求項５】
遠心脱水工程においては、回転円筒の加速中も、高速回転中も、減速中もスクリューコンベヤの回転駆動を休止し、該スクリューコンベヤを回転円筒と一緒に回転させることを特徴とする、請求項４に記載した遠心脱水方法。
【請求項６】
遠心脱水を終えて回転円筒を停止させた後に、スクリューコンベヤを正，逆転させて、
該回転円筒の内周面に張り付いている洗濯物を剥がすことを特徴とする、請求項４または請求項５に記載した遠心脱水方法。
【請求項７】
回転円筒の内周面に張り付いている洗濯物を剥がした後、スクリューコンベヤを一定方向に回転させて、剥がした洗濯物を排出口に向けて送り、該排出口から押し出すことを特徴とする、請求項６に記載した遠心脱水方法。
【発明の詳細な説明】
【技術分野】
【０００１】
本発明は、洗濯設備において洗濯を終えて多量の水分を含んでいる洗濯物を脱水処理して、乾燥機またはプレス仕上機に供給し得る状態ならしめる脱水機、および、同じく脱水方法に関するものである。
【背景技術】
【０００２】
図３は従来例の脱水機を描いた斜視図である。
多孔板で構成された内胴１が、外胴２の中に配置されている。
該内胴１は内胴軸３と内胴軸受４とによって片持ち形に、回転自在に支承され、かつ、駆動モータ５によりプーリ６ａ、同６ｂおよびベルト７を介して回転駆動される。
洗濯物は洗濯物投入口８から投入される。
内胴１が回転すると洗濯物が一緒に回転して、遠心脱水される。脱水された洗濯物は洗濯物投入口８から取り出される。
【０００３】
洗濯設備用の遠心脱水機に関する最近の改良進歩については、特許文献１として挙げた特開２００３−１３５８９２号公報「遠心脱水機」、および特許文献２として挙げた特開平８−３８７９４号公報「遠心脱水機の剥離装置」が提案されている。
上記の特開２００３−１３５８９２号公報「遠心脱水機」は、洗濯物の取り残しを防止するため、脱水槽の内面を鏡面仕上げしたものである。
前記の特開平８−３８７９４号公報「遠心脱水機の剥離装置」は、脱水された洗濯物を排出するため、エアシリンダで駆動される突き棒を設けたものである。
【特許文献１】特開２００３−１３５８９２号公報
【特許文献２】特開平８−３８７９４号公報
【発明の開示】
【発明が解決しようとする課題】
【０００４】
前掲の図３に示した従来例の脱水機においては、次のような問題が有った。
イ．洗濯物の偏在
洗濯物が内胴１の中で均一に配分されないので、洗濯物を含めた内胴の総合重心が回転中心線に対して偏心し、振動を発生する。
振動によって騒音を生じる上に、内胴軸３や内胴軸受４に掛かる荷重が増大するので、内胴の支承部材が大形大重量になる。その上、内胴軸受４を防振支持しなければならないので、製造コストが増加する。
内胴１内に洗濯物を均一に分散させようとすると、
ロ．洗濯物の張り付き
洗濯物が遠心力によって内胴の内周面に張り付いてしまうので、これを剥がすのに手数を要する。
ハ．洗濯物の間欠的な排出
脱水を済ませると、内胴１を傾けて洗濯物を一挙に排出する。これを受け取るコンベア（図示せず）は大形でなければならず、非効率的である。
ニ．力学的な不利
内胴１が内胴軸３によって片持ち形に支承されているので、該内胴軸３や内胴軸受４等の支持構造部分に大きい応力を生じる。このため、内胴の支持構造が大形大重量になり、製造コストが増加する。
【０００５】
本発明は以上に述べた事情に鑑みて為されたものであって、その目的とするところは、
イ．洗濯物が内胴１の中で自動的に均一に配分され、
ロ．内胴の内周面に張り付いた洗濯物が自動的に剥がされ、
ハ．脱水を済ませた洗濯物が、時間当たり均一量で連続的に排出され、内胴などの高速回転部材を両持ち形に支承できる遠心脱水技術を提供することである。
【課題を解決するための手段】
【０００６】
上記のもくてきを達成するために創作した本発明の基本的な原理について、その１実施形態に対応する図１を参照して略述するとつぎのとおりである。
この［課題を解決するための手段］の欄においては、図面との対照を容易ならしめるため、符号を括弧書きで付記してあるが、この符号は本発明の技術的範囲を図面どおりに限定するものではない。
回転円筒（１１）は回転自在に支承されており、高速で回転駆動され、内部の洗濯物を遠心脱水する。
上記回転円筒（１１）の中に、これと同心にスクリューコンベヤ（１２）が配置されている。
上記回転円筒（１１）とスクリューコンベヤ（１２）とは、それぞれ独立に回転駆動され、かつ回転速度を制御される。
【０００７】
回転円筒（１１）内に洗濯物を入れ、高速回転させるに先立って、洗濯物が約１Ｇの遠心力を受けるように低速回転させる。
洗濯物は見かけ上、浮遊に似た状態となる。この状態で、スクリューコンベヤ（１２）を回転円筒（１１）に対して相対的に正，逆転させると、該洗濯物は図の左右に往復移動せしめられ、回転円筒内において均一に分散する。
【０００８】
洗濯物が回転円筒（１１）内で均一に分散すると、該回転円筒を高速回転させて遠心脱水を行なう。このとき、スクリューコンベヤ（１２）を回転円筒と一緒に（同じ回転速度で）回転させれば、スクリューコンベヤの存在は遠心脱水作用の邪魔にはならない。
【０００９】
遠心脱水により、洗濯物は回転円筒（１１）の内周面に張り付く。そこで、遠心脱水を終えて回転円筒の回転を停止させた後、スクリューコンベヤ（１２）を正，逆転させると、張り付いている洗濯物がスクリューコンベヤによって剥がし落とされる。
【００１０】
洗濯物が剥がし落とされた後、スクリューコンベヤ（１２）を一定方向に回転させて、洗濯物を図の右方へ送る。回転円筒内の洗濯物はスクリューコンベヤで右方へ圧し動かされ、排出口１８ｃから排出される。
【００１１】
上述した原理に基づく具体的な構成として、請求項１の発明に係る発明遠心脱水機は、
（図１参照）回転する円筒（１１）の中にスクリューコンベヤ（１２）が設けられていることを特徴とする。
遠心脱水用の回転円筒内にスクリューコンベヤを配設したことが本発明の基本であり、
新規性、進歩性の核心である。
【００１２】
請求項２の発明に係る遠心脱水機の構成は、前記請求項１の発明機器の構成要件に加えて（図１参照）、
前記の回転する円筒（１１）が、フレーム（１６）に対して回転可能に支持されるとともに、
前記のスクリューコンベヤが上記の円筒に対して同心に、かつ相対的回転可能に支持されていることを特徴とする。
【００１３】
請求項３の発明に係る遠心脱水機の構成は、前記請求項２の発明機器の構成要件に加えて（図１参照）、
回転する円筒（１１）の両端それぞれに固着された回転軸の少なくとも片方が筒状（１３）をなし（本発明において、筒状と管状とは同意である）。
前記スクリューコンベヤの回転軸の少なくとも片方が、上記筒状の軸（１３）の中を貫通して突出しており、
前記回転する円筒の回転軸、および、前記スクリューコンベヤの回転軸が、それぞれ互いに独立した回転駆動手段（外管プーリ２１及び内軸プーリ２２）を備えていることを特徴とする。
【００１４】
請求項４の発明に係る遠心脱水方法は（図１参照）、
洗濯を終えた洗濯物を脱水する方法において、
遠心力によって脱水作用を発揮する回転円筒（１１）の中に、スクリューコンベヤ（１２）を設けておき、
遠心脱水工程に先立って、前記回転円筒内に投入された洗濯物が約１Ｇの遠心力を受ける回転速度で、該回転円筒を回転させながら、
前記スクリューコンベヤを、回転円筒に対して相対的に正，逆転させ、洗濯物を軸心方向に送ったり戻したりすることにより、該洗濯物を回転円筒内で均一に配分することを特徴とする。
【００１５】
請求項５の発明に係る遠心脱水方法は、前記請求項４の発明方法の構成要件に加えて（図１参照）、
遠心脱水工程においては、回転円筒（１１）の加速中も、高速回転中も、減速中もスクリューコンベヤ（１２）の回転駆動を休止し、該スクリューコンベヤを回転円筒と一緒に回転させることを特徴とする。
【００１６】
請求項６の発明に係る遠心脱水方法は、前記請求項４または請求項５の発明方法の構成要件に加えて（図１参照）
遠心脱水を終えて回転円筒（１１）を停止させた後、スクリューコンベヤ（１２）を繰り返し正，逆転させて、該回転円筒の内周面に張り付いている洗濯物を剥がすことを特徴とする。
【００１７】
請求項７の発明に係る遠心脱水方法は、前記請求項６の発明方法の構成要件に加えて、
（図１参照）、
回転円筒（１１）の内周面に張り付いている洗濯物を剥がした後、スクリューコンベヤ（１２）を一定方向に回転させて、剥がした洗濯物を排出口（１８ｃ）に向けて送り、該排出口から押し出すことを特徴とする。
【発明の効果】
【００１８】
洗濯設備で洗濯を終えて多量の水分を含んでいる洗濯物を脱水処理して、乾燥機またはプレス仕上機に供給し得る状態ならしめる脱水機に、本発明の請求項１に係る発明を適用して、回転円筒の中にスクリューコンベヤを設けると、該スクリューコンベヤを用いて、
イ．回転円筒内の洗濯物を均一に分散させ、
ロ．回転円筒内に張り付いた洗濯物を剥がし、
ハ．剥がした洗濯物を自動的に、均等な量で連続的に排出し、
洗濯設備における省力化、能率向上に貢献する。
【００１９】
請求項２の発明に係る遠心脱水機を適用すると、回転円筒とスクリューコンベヤとが同心に配置されているので、両者の間の隙間が均一であり、洗濯物を剥がす作用や送り出す作用が円滑に行なわれる。
【００２０】
請求項３の発明に係る遠心脱水機を適用すると、回転円筒とスクリューコンベヤとが２重管状の軸で支持されているので、両者の同心性の保持が容易であり、かつ、両者が相互に独立に駆動されるので、スクリューコンベヤによる洗濯物の配分操作や洗濯物の送り操作を任意に制御することができる。
【００２１】
請求項４の発明方法によると、回転円筒内の洗濯物を浮遊に準ずる状態ならしめて、スクリューコンベヤによって該洗濯物を均一に分散させることができる。
これにより、洗濯物を含めた回転円筒の重心が回転中心線上に位置し、偏心しないので、静粛な回転が可能になり、支承構造が簡単、軽量、低コストで足りる。
【００２２】
請求項５の発明方法によると、本発明を適用して設けたスクリューコンベヤが遠心脱水作用を妨げず、かつスクリューコンベヤの回転駆動や制御が簡単である。
【００２３】
請求項６の発明方法によると、洗濯物の均一配分に用いたスクリューコンベヤを利用して、張り付いた洗濯物を剥がすことができ、作業員の労力を軽減するのみでなく、洗濯作業の能率を向上させる。
【００２４】
請求項７の発明方法によると、洗濯物の均一配分および洗濯物の剥がし操作に用いたスクリューコンベヤを利用して、該洗濯物を自動的に遠心脱水機から均等な量で連続的に排出することがでる。
【発明を実施するための最良の形態】
【００２５】
図１は本発明に係る遠心脱水機の１実施形態における模式的な正面断面図、図２は同じく側面外観図である。
（図１参照）符号１１を付して示したのは遠心脱水作用を果たす回転円筒であり、その中に、スクリューコンベヤ１２が同心に配置されている。
前記回転円筒１１の片方の端（本例では右端）は、フランジ付き軸１８のフランジ部１８ａ似固着されている。該フランジ付き軸１８の軸部１８ｂは、回転円筒軸受１９を介してフレーム１６で支持されている。
【００２６】
前記回転円筒１１の多方の端（本例では左端）は、筒形の軸である外管１３により、外管ベアリング１５介してフレーム１６に支持されている。
前記外管１３に対応する内軸１４はスクリューコンベヤの中心軸であり、その片方の端（本例では左端）は、前記外管１３を貫通して突出し、突出部に内軸プーリ２２が装着されている。符号１７ａを付して示したのは、スクリューコンベヤ１２を回転円筒１１に対して回転自在に支承する内軸ベアリングである。
【００２７】
上記のようにして、回転円筒１１とスクリューコンベヤ１２とは、違いに独立に回転駆動し得るようになっている。
前記内軸１４、すなわちスクリューコンベヤ軸の他方の端（本例では右端）は、内軸ベアリング１７ｂを介して前記フランジ部１８ａで支承されている。
符号１８ｃを付して示したのは、前記フランジ付き軸１８のフランジ部１８ａに設けられた排出口である。この排出口１８ｃを図の右方から見たところは図２に描かれているとおりであって、フレーム１６に邪魔されることなく洗濯物が排出（矢印ｂ）されるようになっている。
【００２８】
図外の連続洗濯機で洗濯・水洗を終えて濡れたままの洗濯物が、矢印ａのように回転円筒１１の中へ投入される。
該回転円筒１１を高速回転させて遠心脱水する前に、スクリューコンベヤ１２を比較的低速で回転させ、投入された洗濯物を矢印ｃのように図の右方へ送る。
説明の便宜上、洗濯物を右方へ送る回転を正転と呼び、左方へ送る回転を逆転と呼ぶことにする。
【００２９】
洗濯物がフランジ付き軸１８のフランジ部１８ａに到達すると直ちにスクリューコンベヤ１２を逆転させて、洗濯物を矢印ｄ方向に戻す。
上記の送り・戻し操作を数回繰り返すと、洗濯物が回転円筒１１の中で均一に分散せしめられる。
本実施形態によると、回転円筒１１内の洗濯物が、図の左右方向についても、円筒の周囲方向についても、均一に分散される。
上記の均一な分散状態は、振動や騒音を発生させないで静粛な運転を行なうためにも、回転円筒支持構造の負荷を軽減させて該支持構造を軽量化するためにも、きわめて有効かつ重要である。
【００３０】
洗濯物が回転円筒１１内で均一に分散すると、該回転円筒の回転を開始し、次第に加速して高速遠心脱水速度に到達させる。
この加速工程において、別段の手段を要しないで洗濯物は回転円筒と一緒に回転し、一緒に加速する。
同様に、スクリューコンベヤ１２についても、その回転駆動を解放してフリーにしておけば、洗濯物と一緒に回転し加速する。
【００３１】
回転円筒１１の回転速度が高速遠心脱水速度に到達すると、スクリューコンベヤ１２の存在と関係無く、洗濯物の遠心脱水作用が果たされる。この場合もスクリューコンベヤの回転駆動は解放しておけば足りる。
脱水操作が終わると回転円筒１１の回転を減速させ、停止させる。この減速・停止工程においても、スクリューコンベヤの回転駆動は解放しておけば足りる。
【００３２】
回転円筒１１の回転が停止したとき、洗濯物は遠心力によって回転円筒１１の内周面に張り付いている。
そこでスクリューコンベヤ１２を正，逆転させ、洗濯物を矢印ｃ方向へ送ったり矢印ｄ方向へ戻したりする操作を数回繰り返す。この操作により、張り付いていた洗濯物が剥がされる。
【００３３】
洗濯物が剥がされると、スクリューコンベヤ１２を正転させて、洗濯物を矢印ｃ方向に送る。
送られた洗濯物は排出口１８ｃから矢印ｂのように自動的に排出される。
【図面の簡単な説明】
【００３４】
【図１】本発明に係る遠心脱水機の１実施形態を示し、模式的に描いた正面段断面図である。
【図２】上記実施形態の遠心脱水機を、図１の右側から見て描いた模式的な側面外観図である。
【図３】洗濯設備に設けられる遠心脱水機の従来例を示し、部分的に破断して描いた斜視図である。
【符号の説明】
【００３５】
１…内胴１
２…外胴
３…内胴３
４…内胴軸受
５…駆動モータ
６ａ，６ｂ…プーリ
７…ベルト
８…洗濯物投入口
１１…回転円筒
１２…スクリューコンベヤ
１３…外管
１４…内軸
１５…外管ベアリング
１６…フレーム
１７…内軸ベアリング
１８…フランジ付き軸
１８ａ…フランジ部
１８ｂ…軸部
１８ｃ…排出口
１９…回転円筒軸受
２０…ケーシング
２１…外管プーリ
２２…内軸プーリ
【図１】
2008154837.tif 000003
【図２】
2008154837.tif 000004
【図３】
2008154837.tif 000005